(57)【要約】【要  約】【課  題】  導電性繊維を含んで構成された電磁波シールド被服のシールド状態を検査する新しい原理に基づく装置を提供することを目的とする。          【解決手段】  導電性繊維を含んで構成された電磁波シールド被服のシールド性能を検査する装置であって、電磁波シールド被服に近接して対向出来るように検出コイルを設けるとともに、この検出コイルに導電体が近接することにより出力が変化するよう構成された近接センサと、この近接センサの出力によりオン・オフが制御されて、前記電磁波シールド被服の着用者に前記電磁波シールド被服のシールド状態を知らせる伝達手段とを備えたことを特徴とする電磁波シールド被服検査装置。【選択図】          図１
2005114618.tif 000002
【特許請求の範囲】
【請求項１】
導電性繊維を含んで構成された電磁波シールド被服のシールド性能を検査する装置であって、
電磁波シールド被服に近接して対向出来るように検出コイルを設けるとともに、この検出コイルに導電体が近接することにより出力が変化するよう構成された近接センサと、
この近接センサの出力によりオン・オフが制御されて、前記電磁波シールド被服の着用者に前記電磁波シールド被服のシールド状態を知らせる伝達手段と、
を備えた電磁波シールド被服検査装置。
【請求項２】
前記近接センサは、前記検出コイルを発振の１素子として有する発振回路と、この発振回路の出力を積分する積分回路と、この積分回路の出力電圧と基準電圧とを比較する比較回路とを備えることを特徴とする請求項１記載の電磁波シールド被服検査装置。
【請求項３】
前記オン・オフにおけるオン状態にするかオフ状態にするかの切換レベルを調整する手段を前記近接センサに設けたことを特徴とする請求項１記載の電磁波シールド被服検査装置。
【請求項４】
前記比較回路に基準電圧を調整する手段を設けたことを特徴とする請求項２記載の電磁波シールド被服検査装置。
【請求項５】
前記伝達手段として発光素子と、前記近接センサの出力によってスイッチング制御されるスイッチング素子とを設け、このスイッチング素子のオン・オフにより前記発光素子のオン・オフを制御することを特徴とする請求項１記載の電磁波シールド被服検査装置。
【請求項６】
請求項２記載の電磁波シールド被服検査装置の検出コイルを電磁波シールド被服に近接して対向せしめ、前記検出コイルから出る磁界によって、前記電磁波シールド被服に渦電流を発生させ、この渦電流によって、前記磁界を打ち消す方向に磁界を発生させて、前記発振回路の発振出力を低下又は発振停止させることを特徴とする電磁波シールド被服検査方法。
【発明の詳細な説明】
【技術分野】
【０００１】
本発明は、導電性繊維を含んで構成された被服のシールド性能を検査することにより当該被服の電磁波シールド性能の劣化を判別する装置及びその方法に関するものである。
【背景技術】
【０００２】
近年、特に携帯電話が送受する電波による人体への影響が問題になっており、特に心臓ペースメーカーを付けている人が混んだ電車内にいる時に、携帯電話が送受する電波が心臓ペースメーカーに悪影響を及ぼすことがある。この他にも、コンピュータなどの電子機器による人体への悪影響も無視できない状況にある。
そこで、この悪影響を除去する１つの手段として、導電性繊維を含んで構成された被服が開発され、これを着用することにより、電磁波から人体を保護することが実用化されている。当該被服は、例えば、ポリアミド系繊維を銀でメッキした繊維で作られている。この被服を洗濯機で何度も洗濯すると、銀が変質したり、剥がれ落ちたりして、シールド性能が劣化してくる。
【０００３】
そこで、この被服のシールド性能を検査するものとして、特許第３３０８９０９号公報に示されるように、当該被服に測定端子より電流を流し、測定端子間の抵抗値を測定し、測定値が所定の値より小さい場合、発光ダイオードを点灯して、当該被服のシール性能が良好であることを示し、前記測定値が所定値より大きい場合には発光ダイオードを点灯させずにおいて、被服のシールド性能が劣化していることを示すものが知られている。
【０００４】
このような、検査装置で被服のシールド性能を検査することにより、シールド効果の良好な被服を着用することができる。
【特許文献１】特許第３３０８９０９号公報
【発明の開示】
【発明が解決しようとする課題】
【０００５】
本発明は、上記特許に示される検査装置とは、全く原理の異なる電磁波シールド被服検査装置及びその検査方法を提供することを目的とする。
【課題を解決するための手段】
【０００６】
上記課題を解決するために、本発明の電磁波シールド被服検査装置は、導電性繊維を含んで構成された電磁波シールド被服に近接して対向出来るように検出コイルを設けるとともに、この検出コイルに導電体が近接することにより出力が変化するよう構成された近接センサと、この近接センサの出力によりオン・オフが制御されて、前記電磁波シールド被服の着用者に前記電磁波シールド被服のシールド状態を知らせる伝達手段とを備えたことを特徴とする。
【０００７】
また、近接センサは、前記検出コイルを発振の１素子として有する発振回路と、この発振回路の出力を積分する積分回路と、この積分回路の出力電圧と基準電圧とを比較する比較回路とを備えることを特徴とする。
また、前記オン・オフにおけるオン状態にするかオフ状態にするかの切換レベルを調整する手段を前記近接センサに設けたことを特徴とする。
【０００８】
また、前記比較回路に基準電圧を調整する手段を設けたことを特徴とする。
また、前記伝達手段として発光素子と、前記近接センサの出力によってスイッチング制御されるスイッチング素子とを設け、このスイッチング素子のオン・オフにより前記発光素子のオン・オフを制御することを特徴とする。
さらに、検出コイルを電磁波シールド被服に近接して対向せしめ、前記検出コイルから出る磁界によって、前記電磁波シールド被服に渦電流を発生させ、この渦電流によって、前記磁界を打ち消す方向に磁界を発生して、前記発振回路の発振出力を低下又は発振停止させることを特徴とする。
【発明の効果】
【０００９】
本発明の電磁波シールド被服検査装置は、近接センサを用いることにより、従来には無い新しい原理の検査装置を提供することができる。電磁波シールド被服の生地表面が非導電もしくは低導電性皮膜で覆われたものの場合であっても、近接センサを用いているので検査が可能であり、その実用的価値は大きい。
また、近接センサの出力によるオン・オフレベルを調整出来るようにしたので、検査しようとする電磁波シールド被服の種類が異なっても、これに対応して装置の感度を調整できるので、正しい検査を行うことができる。また、電磁波シールド被服がどの程度損傷したら不良とするかの調整も、行うことができる。
【発明を実施するための最良の形態】
【００１０】
以下本発明の実施の形態を、図面を参照しながら説明する。
第１図において、１は近接センサであり、検出コイル２とコンデンサ３からなる共振回路を持つ発振回路と、この発振回路４の出力を積分する積分回路５と、積分回路５の出力を所定値と比較する比較回路６と、比較回路６の出力を処理する処理回路７と、これらの回路に定電圧を与える定電圧源８とより構成されている。なお、検出コイル２とコンデンサ３は発振回路４の一構成要素である。
【００１１】
処理回路７は、比較回路６の出力電圧の振幅、極性などを調整して、表示回路９に制御信号として加えるものである。表示回路９はトランジスタなどのスイッチング素子によって構成され、これに発光ダイオード等の発光素子１０が直列に接続されている。
表示回路９と発光素子１０との直列回路には電源スイッチ１１を介して直流電源プラグ１２より、直流電圧が印加されている。この直流電圧は定電圧源８に供給され、定電圧源８で直流定電圧となる。電源スイッチ１１とプラグ１２の直列回路には発光ダイオード等からなる発光素子１３と抵抗１４の直列回路が接続されている。
【００１２】
比較回路６には比較器６ａと可変抵抗器６ｂが存在し、比較器６ａには、積分回路４の出力信号と、可変抵抗器６ｂで調整された基準電圧が加えられている。
図１に示す回路は図２ａ，ｂに示す筐体１５に収納されている。筐体１５の天板１６に電源スイッチ１１、２個の発光素子１０，１３の一部が露出して設けられ、側板に電源プラグ１２の一部が露出して設けられている。また、筐体１５の底板１７には発振回路４の検出コイル２を前面に配置した近接センサ１のブロックが前面部を露出して設けられている。
【００１３】
検出コイル２は例えば、図５に示すように、フェライトコア２ａにコイル２ｂを巻回し、これにカバー２ｃを被せたものが使用される。
検査の対象となる被服は、例えば、直径が１０〜２５ミクロンのポリエステルの糸の回りに銀メッキを施し、これに撥水性の樹脂を全体ではなく、まばらに塗布したものを３６本程度撚ったものを準備し、これを編んで図４に示すようにしたものである。
【００１４】
この検査装置を用いて、導電性繊維を含んで構成された被服のシールド性能がどのようにして検査されるかにつき説明する。まず、近接センサ１の検出コイル２の近くに導電物質が無い場合につき説明する。電源スイッチ１１を投入すると、発光素子１３が点灯する。発振回路４が発振を開始し、その出力は積分回路５で積分（平滑化）される。積分出力は比較回路６において可変抵抗器６ｂで設定された基準電圧と比較される。
【００１５】
この場合、積分出力の方が基準電圧より大きくなるように設定されているので、比較器６ａの出力を処理回路７に加えて処理を行い、オフの制御信号を表示回路９に加えて、表示回路を９を構成するスイッチング素子をオフ状態にする。この結果、発光素子１０は点灯しない。
図３に示すように、被服１８の上に筐体１５の底板１７を当て近接センサ１の検出コイル２を近づける場合について説明する。電源スイッチ１１を投入するとまず、発光素子１３が点灯する。発振回路４が発振を開始し、検出コイル２に電流がながれ、検出コイル２から磁界が発生する。
【００１６】
この磁界は前記被服１８に当たり、電磁誘導現象により被服１８に渦電流が発生する。この渦電流によって前記磁界と逆極性の磁界が発生し、この磁界が前記検出コイル２から発生した磁界を打ち消すように働く。別の言い方をすると、発振回路４としては等価的に負荷が増加したことになる。すると、発振回路４の出力が小さくなったり、発振が停止したりする。
【００１７】
このような状態になると、積分回路５の出力が低下し、比較回路６の基準電圧の方が積分出力より、大きくなって、比較器６ａの電圧が反転し、結果、処理回路７からオン制御信号が出て、表示回路９のスイッチング素子を投入して発光素子１０を点灯する。この場合は、被服１８のシールド状態が良好であることを示している。
もし、被服１８の銀メッキが剥がれたり、酸化して導電性が劣化している場合、上記渦電流が十分発生せず、従って、発振回路４の出力が、あまり低下しない。この時、基準電圧の方が積分電圧より小さいと、表示回路９のスイッチング素子は投入されず、発光素子１０は点灯しない。この場合は被服１８のシールド状態が劣化していることを示している。
【００１８】
なお、被服１８のシールド状態がどの程度劣化したら、発光素子１０をオフ状態にするかについては、比較回路６の基準電圧を可変抵抗器６ｂで調整すればよい。また、異なる種類の電磁波シールド被服を検査する場合に必要に応じて可変抵抗器６ｂを調整すればよい。
調整手段は可変抵抗器である必要はなく、基準電圧を実質的に調整できるものであれば他の手段でもよい。電磁波シールド被服の着用者にシールド状態の検査結果を知らせる伝達手段として、発光素子を用いたが、検査結果を知らせることができるものであれば、例えばスピーカを備えて音で知らせるようにしても良い。
【００１９】
また、電磁波シールド被服の生地として、劣化を防止するために非導電もしくは低導電性の皮膜で覆ったものを用いても良い。従来の抵抗測定法による検査装置では、このような生地の場合測定できないが、本発明の検査装置は近接センサを用いているので検査が可能である。
【産業上の利用可能性】
【００２０】
本発明は導電性繊維を含んで構成された被服のシールド性能を検査する装置として有用である。
【図面の簡単な説明】
【００２１】
【図１】本発明の一実施例における電磁波シールド被服検査装置のブロック図である。
【図２】ａは同電磁波シールド被服検査装置の上面図である。            ｂは同電磁波シールド被服検査装置の底面図である。
【図３】同検査装置の検査状態を示す側面図である。
【図４】同検査装置の対象となる被服の一部拡大図である。
【図５】同検査装置の検出コイルの断側面図である。
【符号の説明】
【００２２】
１：  近接センサ
２：  検出コイル
４：  発振回路
５：  積分回路
６：  比較回路
６ｂ：可変抵抗器
７：  処理回路
８：  定電圧源
９：  表示回路
１０：発光素子
１２：電源プラグ
１３：発光素子
【図１】
2005114618.tif 000003
【図２】
2005114618.tif 000004
【図３】
2005114618.tif 000005
【図４】
2005114618.tif 000006
【図５】
2005114618.tif 000007